(57)【要約】【課題】ころを保持する凸部の剛性を適正に調整可能として、ころを押し込むための力が過大となりにくいころ軸受用保持器を提供する。【解決手段】外輪１と内輪２の間に２つの円環部材５を軸受軸方向に離して配設し、それら２つの円環部材５を連結する複数の柱部材６を円環部材周方向に等間隔に配設し、隣合う柱部材６の間にころ３を収容し、各柱部材６には、ころ３の外周面のころ軸方向両端部に摺接してころ３を保持する凸部７をころ収容側に突設すると共に、それらの凸部７の円環部材５側には当該円環部材５側がころ軸方向中央部より低いテーパ部８を形成することにより、凸部７の剛性を適正に調整することができる。テーパ部８はころ挿入方向手前側だけでもよいが、挿入方向全長に設けてもよい。【選択図】図６
2012237382.tif 000002
【特許請求の範囲】
【請求項１】
内周面に転動面を有する外方部材と外周面に転動面を有する内方部材との間に複数のころを転動体として備えたころ軸受のころの保持器であって、軸受軸方向に離して配置された２つの円環部材と、前記円環部材を連結し且つ当該円環部材の円周方向に等間隔に配置された複数の柱部材と、隣合う柱部材の間に収容されるころと、前記柱部材のころ収容側に突設され且つころの外周面のころ軸方向両端部に摺接してころを保持する凸部と、前記凸部の円環部材側に形成され且つ当該円環部材側がころ軸方向中央部より低いテーパ部とを備えたことを特徴とするころ軸受用保持器。
【請求項２】
前記テーパ部を前記凸部の軸受径方向全長に形成したことを特徴とする請求項１に記載のころ軸受用保持器。
【請求項３】
前記テーパ部を前記凸部のころ挿入方向手前側のみに形成したことを特徴とする請求項１に記載のころ軸受用保持器。
【発明の詳細な説明】
【技術分野】
【０００１】
本発明は、外方部材の内周面の軌道面と内方部材の外周面の軌道面との間に複数のころを転動体として配設してなるころ軸受のころの保持器に関するものである。
【背景技術】
【０００２】
このようなころ軸受用保持器としては、例えば下記特許文献１に記載されるものがある。このころ軸受用保持器では、外方部材と内方部材の間に２つの円環部材を軸受軸方向に離して配設し、それら２つの円環部材を連結する複数の柱部材を円環部材周方向に等間隔に配設し、隣合う柱部材の間にころを収容し、各柱部材には、ころの外周面のころ軸方向両端部に摺接してころを保持する凸部をころ配置側に突設している。ころを隣合う柱部材の間に収容する際には、ころが凸部を乗り越えるようにころを何れか一方の円環部材の側から押し込む。
【先行技術文献】
【特許文献】
【０００３】
【特許文献１】実公平１−２５７８２号公報
【発明の概要】
【発明が解決しようとする課題】
【０００４】
前記特許文献１に記載されるころ軸受用保持器の柱部材間にころを押し込む場合には、凸部や柱部材の弾性変形を伴うが、凸部や柱部材の剛性が高い場合には、ころを押し込むための力が過大となり、組立作業性が悪化する恐れがある。
本発明は、上記のような問題点に着目してなされたものであり、凸部の剛性を適正に調整可能として、ころを押し込むための力が過大となりにくいころ軸受用保持器を提供することを目的とするものである。
【課題を解決するための手段】
【０００５】
上記課題を解決するために、本発明のころ軸受用保持器は、内周面に転動面を有する外方部材と外周面に転動面を有する内方部材との間に複数のころを転動体として備えたころ軸受のころの保持器であって、軸受軸方向に離して配置された２つの円環部材と、前記円環部材を連結し且つ当該円環部材の円周方向に等間隔に配置された複数の柱部材と、隣合う柱部材の間に収容されるころと、前記柱部材のころ収容側に突設され且つころの外周面のころ軸方向両端部に摺接してころを保持する凸部と、前記凸部の円環部材側に形成され且つ当該円環部材側がころ軸方向中央部より低いテーパ部とを備えたことを特徴とするものである。
【０００６】
また、前記テーパ部を前記凸部の軸受径方向全長に形成したことを特徴とするものである。
また、前記テーパ部を前記凸部のころ挿入方向手前側のみに形成したことを特徴とするものである。
【発明の効果】
【０００７】
而して、本発明のころ軸受用保持器によれば、外方部材と内方部材の間に２つの円環部材を軸受軸方向に離して配設し、それら２つの円環部材を連結する複数の柱部材を円環部材周方向に等間隔に配設し、隣合う柱部材の間にころを収容し、各柱部材には、ころの外周面のころ軸方向両端部に摺接してころを保持する凸部をころ収容側に突設すると共に、それらの凸部の円環部材側には当該円環部材側がころ軸方向中央部より低いテーパ部を形成したため、凸部の剛性を適正に調整することができる。このため、ころを隣合う柱部材の間に収容するために、ころが凸部を乗り越えるようにころを何れか一方の円環部材の側から押し込む際、過大な押し込み力を要しないでころを所定の位置に収容できる。
【０００８】
また、テーパ部を凸部の軸受径方向全長に形成したことにより、テーパ部のテーパ量を調整するだけで容易に凸部の剛性を調整することが可能となる。
更には、テーパ部を凸部のころ挿入方向手前側のみに形成したことにより、テーパ部を軸受径方向全長に形成する場合と同様の効果を得ることができ、且つ凸部の剛性を調整するための加工を必要最小限にすることができる。
【図面の簡単な説明】
【０００９】
【図１】本発明のころ軸受用保持器の一実施形態を示すころ軸受の縦断面図である。
【図２】図１のころ軸受の保持器の斜視図である。
【図３】図２の保持器の柱部材及び凸部の第１実施形態を示す詳細図である。
【図４】図３の柱部材及び凸部を軸受径方向から見た説明図である。
【図５】図３の柱部材及び凸部を軸受円周方向から見た説明図である。
【図６】図２の保持器の柱部材及び凸部の第２実施形態を示す詳細図である。
【図７】図６の凸部を軸受円周方向から見た説明図である。
【図８】従来のころ軸受の保持器の柱部材及び凸部の一例を示す詳細図である。
【発明を実施するための形態】
【００１０】
次に、本発明のころ軸受用保持器の一実施形態について図面を参照しながら説明する。
図１は、本実施形態のころ軸受用保持器を適用したころ軸受の縦断面図であり、内方部材である内輪２には鍔がなく、外方部材である外輪１の軸受軸方向両端部に鍔１０が形成されているラジアル円筒ころ軸受である。外輪１の内周面が転動面、内輪２の外周面が転動面となる。図中の符号３は、転動体を構成するころ（円筒ころ）、符号４は、ころ３を保持する保持器である。
【００１１】
図２には、図１のころ軸受の保持器４の全体を示す。この保持器４は、軸受軸方向に所定間隔離して配置される２つの円環部材５と、２つの円環部材５を連結し且つ円環部材５の円周方向に等間隔に配置された複数の柱部材６を備えて構成され、隣合う柱部材６の間にころ３が収容される。また、柱部材６のころ収容側には、ころ３の軸方向両端部に摺接して当該ころ３を保持する凸部７が形成されている。この凸部７は、その突出先端面がころ３の外周面に摺接する円弧曲面となっており（図３参照）、この円弧曲面でころ３の外周面を保持する。従って、隣合う柱部材６の間にころ３を収容するときには、ころ３が凸部７を乗り越えるように押し込む。
【００１２】
図３〜図５には、図２の柱部材６及び凸部７の第１実施形態の詳細を示す。本実施形態では、凸部７の円環部材５側に、当該円環部材５側がころ軸方向（＝軸受軸方向）中央部より低いテーパ部８を形成した。図１のころ軸受は、外輪１の軸受軸方向両端部に鍔１０が設けられているので、このころ軸受を組立てる場合には、外輪１の内周面（転動面）の内側に保持器４をセットし、その内側からころ３を保持器４の柱部材６の間に収容し、然る後、保持器４の内側に内輪２を嵌め込む。従って、図３、図５に示すように、ころ３の挿入方向が決まる。本実施形態では、凸部７の円環部材５側のころ挿入方向全長、即ち軸受径方向全長にわたってテーパ部８を形成した。このように凸部７の一部、特に剛性の高い円環部材５側を低くしてテーパ部８を形成することにより、凸部７の剛性を任意に調整することができ、隣合う柱部材６間にころ３を収容するためにころ３が凸部７を乗り越えるように押し込む場合に、凸部７の変形を容易にすることができ、これにより過大な押し込み力を要しないでころ３を所定の位置に収容できる。
【００１３】
図８は、従来のころ軸受用保持器４の柱部材６及び凸部７の詳細である。従来の凸部７には円環部材５側のテーパ部がなく、凸部７の円環部材５側の壁部はころ軸方向（軸受軸方向）と直角である。このように凸部７の円環部材５側にテーパ部がないと、凸部７の剛性が高く、ころ３を押し込む力が過大になり、組立作業性が悪化する恐れがある。
このように本実施形態のころ軸受用保持器では、外輪１と内輪２の間に２つの円環部材５を軸受軸方向に離して配設し、それら２つの円環部材５を連結する複数の柱部材６を円環部材周方向に等間隔に配設し、隣合う柱部材６の間にころ３を収容し、各柱部材６には、ころ３の外周面のころ軸方向両端部に摺接してころ３を保持する凸部７をころ収容側に突設すると共に、それらの凸部７の円環部材５側には当該円環部材５側がころ軸方向中央部より低いテーパ部８を形成したため、凸部７の剛性を適正に調整することができ、ころ３を隣合う柱部材６の間に収容するために、ころ３が凸部７を乗り越えるようにころ３を何れか一方の円環部材５の側から押し込む際、過大な押し込み力を要しないでころ３を所定の位置に収容できる。
【００１４】
また、テーパ部８を凸部７の軸受径方向全長に形成したことにより、テーパ部８のテーパ量を調整するだけで容易に凸部７の剛性を調整することが可能となる。
図６、図７には、図２の柱部材６及び凸部７の第２実施形態の詳細を示す。本実施形態でも、凸部７の円環部材５側をころ軸方向（軸受軸方向）中央部より低くしてテーパ部８を形成しているが、本実施形態では、ころ挿入方向手前側だけにテーパ部８を形成している。凸部７や柱部材６の剛性が高い場合には、前記第１実施形態のように、軸受径方向全長にわたって円環部材５側が低いテーパ部８を形成して剛性を調整する必要があるが、凸部７や柱部材６の剛性がさほど高くない場合には、本実施形態のように、ころ挿入方向手前側だけにテーパ部８を形成して凸部７の剛性を少しだけ低下させ、特にころ押し込み時の凸部７のころ挿入方向手前側だけの変形を容易にすればよい。
【００１５】
このように本実施形態のころ軸受用保持器では、テーパ部８を凸部７のころ挿入方向手前側のみに形成したことにより、テーパ部を軸受径方向全長に形成する場合と同様の効果を得ることができ、且つ凸部７の剛性を調整するための加工を必要最小限にすることができる。
なお、前記実施形態では、円筒ころ軸受に本発明のころ軸受用保持器を適用した例についてのみ詳述したが、本発明のころ軸受用保持器は円錐ころ軸受にも同様に適用可能である。
【００１６】
また、前記実施形態では、外輪１に鍔１０が形成されたころ軸受についてのみ詳述したが、内輪に鍔が形成されたもの、内輪及び外輪に鍔が形成されたものについても、本発明のころ軸受用保持器は適用可能である。鍔が形成されている部位によって組立手順、特にころの挿入方向が決まるので、そのころ挿入方向と凸部及び柱部材の剛性に応じてテーパ部の形状や大きさを設定すればよい。
【符号の説明】
【００１７】
１は外輪（外方部材）
２は内輪（内方部材）
３はころ（転動体）
４は保持器
５は円環部材
６は柱部材
７は凸部
８はテーパ部
１０は鍔
【図１】
2012237382.tif 000003
【図２】
2012237382.tif 000004
【図３】
2012237382.tif 000005
【図４】
2012237382.tif 000006
【図５】
2012237382.tif 000007
【図６】
2012237382.tif 000008
【図７】
2012237382.tif 000009
【図８】
2012237382.tif 000010